【事件の表示】
　特願２００２−１４７１７９「リモコンのテンキーのインターフェイス装置」拒絶査定不服審判事件〔平成１５年　３月２８日出願公開、特開２００３−　９１３５４〕について、次のとおり審決する。
【結　論】
　本件審判の請求は、成り立たない。
【理　由】
１．手続の経緯と本願出願日
　本願は、平成１３年３月１日（優先権主張、平成１２年３月１日、日本国）を国際出願日とする出願である特願２００１−５６３９８１号の一部を平成１４年５月２２日に新たな特許出願としたものであって、平成１５年５月３０日付で拒絶査定がされ、これに対し、同年７月２日に拒絶査定不服審判がされるとともに、同年８月１日付で手続補正がなされたものである。
　
　（１）出願分割の適否
　本願は、平成１３年３月１日（優先権主張、平成１２年３月１日、日本国）を国際出願日とする出願である特願２００１−５６３９８１号（以下、「原出願」という。）の一部を平成１４年５月２２日に新たな特許出願としたものであるが、まず、この出願が特許法第４４条の規定に該当するか否かについて検討する。
　本願の明細書又は図面及び特許請求の範囲には「リモコンのテンキーのインターフェイス装置」であって、「リモコンのテンキーの操作によって情報の検索や伝達を行う」ことについて記載がなされている。
　一方、原出願の願書に最初に添付した明細書又は図面（以下、「原出願当初明細書等」という。）には、例えば、「パーソナルコンピュータ１の画面２上にテンキー１１の配列に応じたボタン又はキーイメージを表示させ、ボタン又はキーイメージの何れかが選択されると、選択されたボタン又はキーイメージの何れかに対応する階層イメージが表示されるようにしたので、オペレータ３により、たとえばキーボード１０のテンキー１１を操作することで、情報の検索や伝達を行うことができる。」（国際公開第０１／０６５３５１号パンフレット第２３頁第２３行〜第２４頁第２行）と記載されているように、パーソナルコンピュータに接続されたキーボードのテンキーを操作することにより情報の検索や伝達を行うことが記載されているが、「リモコン」あるいは「リモコンのテンキー」及び「リモコンのテンキーのインターフェイス装置」、「リモコンのテンキーの操作によって情報の検索や伝達を行う」については記載がない。
　また、「本実施の形態でのインターネット上のパーソナルコンピュータ１のテンキー１１の操作による情報検索／伝達方法は、上述したホームページを閲覧するためのインターフェイス機能に限らず、ケーブルテレビやデジタル機器（テレビ・ビデオ等や発券機・その他家電・工業機器・医療機器）を操作するためのインターフェイス機能として用いるようにすることも可能である。」（国際公開第０１／０６５３５１号パンフレット、第２８頁第２５行〜第２９頁第４行）と記載されており、パーソナルコンピュータのテンキーの操作による情報検索／伝達方法をテレビ等の機器を操作するためのインターフェイス機能として用いることが示唆されているが、当該記載を見ても、「リモコン」あるいは「リモコンのテンキー」及び「リモコンのテンキーのインターフェイス装置」、「リモコンのテンキーの操作によって情報の検索や伝達を行う」が記載されていると言うことはできない。
　そして、その他の原出願当初明細書等を見ても「リモコン」あるいは「リモコンのテンキー」及び「リモコンのテンキーのインターフェイス装置」、「リモコンのテンキーの操作によって情報の検索や伝達を行う」ことが原出願当初明細書等からみて明らかということはできない。
　すなわち、本願請求項１−４に係る発明及び本願明細書又は図面に記載された「リモコンのテンキー」及び「リモコンのテンキーのインターフェイス装置」、「リモコンのテンキーの操作によって情報の検索や伝達を行う」は、原出願当初明細書等には記載されておらず、また、原出願当初明細書等の記載から自明の構成であるとも認められない。
　よって、本願は適法な分割出願とは認められず、特許法第４４条の規定を満たさないので、出願日の遡及は認められず、本願出願日は、平成１４年５月２２日である。
　
２．平成１５年８月１日付の手続補正についての補正却下の決定
　
　［補正却下の決定の結論］
　　平成１５年８月１日付の手続補正（以下、「本件補正」という。）を却下する。
　
　［理由］
　（１）補正後の本願発明
　本件補正は、請求項１の記載を、
「リモコンのテンキーと、
　様々な第１の選択指示内容を持った前記テンキーと同形状のキーイメージをインターネット上の所定のホームページに複数のキーで表示させる機能と、
　前記キーイメージのそれぞれのキーを色分け表示する機能と、
　前記テンキーの操作によって前記第１の選択指示内容の何れかが選択されると、選択された第１の選択指示内容に従いインターネットを介しての情報の検索や伝達を行う機能と、
　前記第１の選択指示内容の何れかが前記テンキーの操作によって選択されると、選択された前記第１の選択指示内容に関連する様々な第２の選択指示内容を持った前記テンキーと同形状の第１の階層のキーイメージを前記選択された第１の選択指示内容を持つキーと同じ色で表示させる機能と、
　前記第２の選択指示内容の何れかが選択されると、選択された前記第２の選択指示内容に従い前記情報の検索や伝達を行う機能と、
　前記第２の選択指示内容の何れかが選択されると、選択された前記第２の選択指示内容に関連する様々な第３の選択指示内容を持った前記テンキーと同形状の第２の階層のキーイメージを前記選択された第２の選択指示内容を持つキーと同じ色で表示させる機能と、
　前記第３の選択指示内容の何れかが選択されると、選択された前記第３の選択指示内容に従い前記情報の検索や伝達を行う機能と、前記第１〜第３の選択指示内容の選択を、音声認識により行う機能と、
　前記第１又は第２の階層のキーイメージにて所定の番号を入力すると、前記キーイメージの頁指定、商品番号によるダイレクト指定、電話番号による指定、郵便番号の指定を含む所定の動作を行う機能とを有する
　ことを特徴とするリモコンのテンキーのインターフェイス装置。」
とすることを含む補正である。
　
　上記補正は、Ａ．「様々な第１の選択指示内容を持った前記テンキーと同形状のキーイメージをインターネット上の所定のホームページに複数のキーで表示させる機能」、Ｂ．「前記第１の選択指示内容の何れかが前記テンキーの操作によって選択されると、選択された前記第１の選択指示内容に関連する様々な第２の選択指示内容を持った前記テンキーと同形状の第１の階層のキーイメージを前記選択された第１の選択指示内容を持つキーと同じ色で表示させる機能 」及びＣ．「前記第２の選択指示内容の何れかが選択されると、選択された前記第２の選択指示内容に関連する様々な第３の選択指示内容を持った前記テンキーと同形状の第２の階層のキーイメージを前記選択された第２の選択指示内容を持つキーと同じ色で表示させる機能」の補正事項を含むものである。
　
　上記Ａについて検討する。
　本願の願書に最初に添付した明細書又は図面（以下、「出願当初明細書等」という。）には、
「アクセス制御部１０１は、インターネット上の所定のホームページにアクセスして画面２に表示される後述のキーイメージ２０や階層キーイメージ３０〜８０の呼出し制御を行う。また、アクセス制御部１０１は、リモコンのテンキー１１による後述のキーイメージ２０や階層キーイメージ３０〜８０のそれぞれのキーの選択に応じて情報の検索や伝達の制御を行うが、その詳細は後述する。」（段落【００１０】）
「アクセス部１０２は、アクセス制御部１０１の制御により、インターネット上の所定のホームページへアクセスし、後述のキーイメージ２０や階層キーイメージ３０〜８０の呼出しを行うとともに、リモコンのテンキー１１によるキーイメージ２０や階層キーイメージ３０〜８０の選択に応じて情報の検索や伝達を行う。記憶部１０３には、アクセス部１０２によって呼出された後述のキーイメージ２０や階層キーイメージ３０〜８０等が記憶される。」（段落【００１１】）
「内容（イメージ）表示制御部１０４は、後述のキーイメージ２０や階層キーイメージ３０〜８０を表示させるとともに、リモコンのテンキー１１によるキーイメージ２０や階層キーイメージ３０〜８０のそれぞれのキーの選択に応じた情報の表示を行う。」（段落【００１２】）
「キー配列イメージデータ選択部１０５は、キー配列イメージデータ記憶部１０６に記憶されている各種形状の後述のキーイメージ２０や階層キーイメージ３０〜８０を画面２に表示させるためのデータを選択する。また、後述の動作割付部１０７からのデータを受取り、後述のキーイメージ２０や階層キーイメージ３０〜８０のそれぞれのキー内容を変更する。」（段落【００１３】）
「キー配列イメージデータ記憶部１０６には、各種形状の後述のキーイメージ２０や階層キーイメージ３０〜８０を画面２に表示させるためのデータが記憶されている。動作割付部１０７は、後述のキーイメージ２０や階層キーイメージ３０〜８０のそれぞれのキー内容を変更するためのデータを保持し、必要に応じてキー配列イメージデータ選択部１０５へ変更すべきキー内容に応じたデータを与える。」（段落【００１４】）
「まず、リモコンの電源が投入されると、その画面２には、図３に示すようなキーイメージ２０が表示される。このキーイメージ２０は、上述したアクセス部１０２によるインターネット上の所定のホームページへのアクセスによって呼出され、記憶部１０３に記憶されているものである。」（段落【００１６】）
「つまり、図７の階層キーイメージ５０は、図４の階層キーイメージ３０の「４」キー２５ｄの『アクセサリー、香水』の選択指示内容に関連する関連選択指示内容である。同様にして、図７の階層キーイメージ５０の何れかのキーを選択することで、図７の階層キーイメージ５０の何れかのキーの選択指示内容に関連する関連選択指示内容を持った階層キーイメージを表示させることができる。また、図７の階層キーイメージ５０の何れかのキーを選択すると、それぞれの選択指示内容に応じた情報が表示される。」（段落【００２３】）
「本実施の形態では、リモコンの画面２上にリモコンのテンキー１１と同形状のキーイメージ２０を表示させ、そのキーイメージ２０のそれぞれのキーに表示されている選択指示内容に対応するテンキー１１のキーを操作することで、キーイメージ２０のそれぞれのキーの選択指示内容に対応するたとえば階層キーイメージ３０，４０を表示させ、さらにたとえば階層キーイメージ３０のそれぞれのキーの選択指示内容に対応するたとえば階層キーイメージ５０〜８０を表示させ、それぞれの階層キーイメージ３０〜８０のそれぞれのキーの選択指示内容をテンキー１１のキーの操作によってのみ選択することで、情報の検索を容易に行うことができる。」（段落【００６７】）
と記載されているように、アクセス部が、インターネット上の所定のホームページにアクセスして、画面に表示されるキーイメージや階層キーイメージの呼び出しを行うこと、キーイメージ、階層キーイメージは、記憶部に記憶されているものを呼び出すこと、階層キーイメージによるいずれかのキー選択により情報を表示すること、リモコンの画面にテンキーと同形状のキーイメージを表示させることは記載されているが、「様々な第１の選択指示内容を持った前記テンキーと同形状のキーイメージをインターネット上の
所定のホームページに複数のキー
　また、その他の出願当初明細書等を見てもこれらのことが出願当初明細書等からみて明らかということはできない。
　
　上記Ｂについて検討する。
　本願の出願当初明細書等には、
「その階層キーイメージ３０の各「１」キー２５ａ、「２」キー２５ｂ、「３」キー２５ｃ、「４」キー２５ｄ、「５」キー２５ｅ、「６」キー２５ｆ、「７」キー２５ｇ、「８」キー２５ｈ、「９」キー２５ｉ等においては、それぞれ色を変えて表示することもできる。」（段落【００５９】）
「この場合、たとえば図２２に示すように、インターフェイス装置１００にキー色設定部１０８を追加し、そのキー色設定部１０８が保持するキー色のデータを選択するようにする。これにより、キーイメージ２０や階層キーイメージ３０〜８０のそれぞれのキーを色別表示することで、それぞれのキー識別が容易となる。」（段落【００６０】）
と記載されており、階層キーイメージの各キーそれぞれの色を変えて表示すること、キーイメージや階層キーイメージのそれぞれのキーを色別表示することが記載されているのみで、「前記第１の選択指示内容の何れかが前記テンキーの操作によって選択されると、選択された前記第１の選択指示内容に関連する様々な第２の選択指示内容を持った前記テンキーと同形状の第１の階層のキーイメージを前記選択された
第１の選択指示内容を持つキーと同じ色
　また、その他の出願当初明細書等を見てもこれらのことが出願当初明細書等からみて明らかということはできない。
　
　上記Ｃについて検討する。
　本願の出願当初明細書等には、
「その階層キーイメージ３０の各「１」キー２５ａ、「２」キー２５ｂ、「３」キー２５ｃ、「４」キー２５ｄ、「５」キー２５ｅ、「６」キー２５ｆ、「７」キー２５ｇ、「８」キー２５ｈ、「９」キー２５ｉ等においては、それぞれ色を変えて表示することもできる。」（段落【００５９】）
「この場合、たとえば図２２に示すように、インターフェイス装置１００にキー色設定部１０８を追加し、そのキー色設定部１０８が保持するキー色のデータを選択するようにする。これにより、キーイメージ２０や階層キーイメージ３０〜８０のそれぞれのキーを色別表示することで、それぞれのキー識別が容易となる。」（段落【００６０】）
と記載されており、階層キーイメージの各キーそれぞれの色を変えて表示すること、キーイメージや階層キーイメージのそれぞれのキーを色別表示することが記載されているのみで、「前記第２の選択指示内容の何れかが選択されると、選択された前記第２の選択指示内容に関連する様々な第３の選択指示内容を持った前記テンキーと同形状の第２の階層のキーイメージを
前記選択された第２の選択指示内容を持つキーと同じ色で表示
　また、その他の出願当初明細書等を見てもこれらのことが出願当初明細書等からみて明らかということはできない。
　
　すなわち、本件補正は、出願当初明細書等に記載されていない上記Ａ−Ｃを付加するものであり、出願当初明細書等に記載した事項の範囲内ではないので、特許法１７条の２第３項に規定する要件を満たしていない。
　したがって、本件補正は、特許法第１５９条で準用する特許法第５３条第１項の規定により却下すべきものである。
　
３．本願発明について
　平成１５年８月１日付の手続補正は上記のとおり却下されたので、本願の請求項１に係る発明（以下、「本願発明」という。）は、平成１５年３月１７日付手続補正書の特許請求の範囲の請求項１に記載された事項により特定される、以下のとおりのものである。
　
「リモコンのテンキーの操作により情報の検索や伝達を行うリモコンのテンキーのインターフェイス装置であって、
　様々な第１の選択指示内容を持った前記テンキーと同形状のキーイメージを表示させる機能と、
　前記テンキーの操作によって前記第１の選択指示内容の何れかが選択されると、選択された第１の選択指示内容に従い前記情報の検索や伝達を行う機能とを備え、
　さらに、前記第１の選択指示内容の何れかが選択されると、選択された前記第１の選択指示内容に関連する様々な第２の選択指示内容を持った前記テンキーと同形状の第１の階層のキーイメージを表示させる機能と、
　前記第２の選択指示内容の何れかが選択されると、選択された前記第２の選択指示内容に従い前記情報の検索や伝達を行う機能と、
　前記第２の選択指示内容の何れかが選択されると、選択された前記第２の選択指示内容に関連する様々な第３の選択指示内容を持った前記テンキーと同形状の第２の階層のキーイメージを表示させる機能と、
　前記第３の選択指示内容の何れかが選択されると、選択された前記第３の選択指示内容に従い前記情報の検索や伝達を行う機能とを有する
　ことを特徴とするリモコンのテンキーのインターフェイス装置。」
　
　（１）引用刊行物
　
　原査定の拒絶の理由に引用された特開平１０−１６１７９４号公報（以下、「引用刊行物１」という。）には、図面と共に、
「本発明は、ホームシステムのユーザが、ディスプレイスクリーン上のメニューアイテムを容易に選択しホームシステムの装置群をコントロールおよび／またはモニターするための、システムを包含する。本発明の一つの局面は、ディスプレイ機能、リモートコントロール機能、およびメニュー生成機能を含む。これら各機能は、例えば、テレビレシーバ、赤外線（ＩＲ）リモートコントローラ、およびパーソナルコンピュータ（ＰＣ）などを用いて実現することができる。」（段落【０００７】）
「本発明の重要な特徴の一つは、オンスクリーンメニューオプションとそれらオプションのリモートコントロール選択との間に直感的な対応および類似性を提供することである。」（段落【０００８】）
「図１に示すように、リモートコントロールキーパッド１０は、電源１１、音量１２およびチャンネル１３などの典型的なコントロール機能のためのボタンを有している。しかし更にキーパッド１０は、様々な属性のボタン１４のアレイを有するセクションおよび、メニューを最初に呼び出すあるいはメニューを閉じるためのメニューボタン１５を有している。」（段落【００１０】）
「引き続きキーパッド１０に関して、アレイ１４中の各ボタンには属性が関連付けられており、ユーザが素早くボタンを識別することおよび、表示されたメニュー上のオプションとマッチすることを可能にする。例えば図示したキーパッド１０の実施態様においては、ボタンアレイ１４は、３×３のモティーフに配置されており、各列は同じ色（黄、緑、および青）を有し、各行は同じ形状（長方形、円形、および菱形）を有している。本実施態様例において、ボタンに関連付けられた属性は、表示されたメニュー２０の構成と実質的に合致している。」（段落【００１２】）
「また、発明の本実施態様例では上記の色および形状を用いているがこれらの属性に限定されない。他の色、形状その他の属性もまた適切であり得る。また、本発明は３×３のボタンアレイを用いるように図示されているが、３×４、４×３、４×４等、他の多くのアレイサイズも適切である。しかし、アレイが大きくなるにつれ（すなわちボタンが多くなるにつれ）、ある点で、ユーザが素早くキー-パッドボタンを認識してメニューオプションとマッチする能力を実際には減少させてしまう。」（段落【００１３】）
「図２に示すように、メインメニューの本実施態様例は、キーパッド１０に基づき、３×３のアレイを表示し、９つの選択オプションを提供する。すなわち、１）オーディオ／ビジュアル（ＡＶ）、２）セキュリティ、３）ヒーティング／換気／空調（ＨＶＡＣ）、４）照明、５）設備、６）通信、７）料理、８）ハウスキーピング、および９）システムである。」（段落【００１４】）
「メニュー上の各オプションには、キーパッド１０上の属性と実質的に合致するようにデザインされた属性が関連付けられている。例えばメニュー２０の第１番目の行は長方形を示し、第２番目の行は円形を示し、第３番目の行は菱形を示している。更に、メニュー２０の左列中の全ての形状は黄色であり、中央列中の全ての形状は緑色であり、右列中の全ての形状は青色である。繰り返すが、リモートコントローラキーパッド１０にはメニューと実質的に同じ構成を有するボタン群が存在する。」（段落【００１５】）
「メニューオプションの識別を容易にするために用いられる属性の一つとして色を用いる場合には、オプションを示す文字／グラフフィクス用に選ばれる色、関連付けられた形状、およびメニューの背景は、良好なコントラストが得られる輝度レベルに選択されるべきである点に注意されたい。」（段落【００１６】）
「引き続き図２〜図４を参照し、ユーザが第１行第１列のボタン（すなわち表示された「ＡＶ」アイテムと同じ属性を有する、黄色の長方形）を押した場合、リモートコントローラは、ＩＲ送信により、単に押下されたボタン位置は第１行第１列であることを示すメッセージを送り出す。リモートコントローラは、第１行第１列にあるボタンが「ＡＶメニュー」用であることを知らない点に注意されたい。この選択の翻訳は、メニューを生成するプロセッサ中で行われる。リモートコントローラが特定の機能に制限されていないことにより、所定のリモートコントローラキーパッド１０の有用性および操作性に影響することなく新しいアイテムをメニューにプログラムできるという意味において、本発明に更なる柔軟性をもたらす。」（段落【００１７】）
「続いて、第１行第１列ボタンが押されると、メニュー生成プロセッサは図３に示す「ＡＶメニュー」を生成し、これを「メインメニュー」の代わりにＴＶに表示する。ＴＶ上に表示される各メニューはやはり、異なるオプションを例示してはいるが、リモートコントローラ上に有される属性と実質的に同じ配置を表現している。図示のように、「ＡＶメニュー」は８つのアイテムを有している。すなわち、１）メイン、２）ＶＣＲ−１、３）ＶＣＲ−２、４）ＬＤ、５）ＣＤ、６）ＤＣＣ、７）レシーバ、および８）システムである。この例において、１つの背景ピクチャは選択されるべきアイテムを有していない。」（段落【００１８】）
「この場合、ユーザが第２行第２列、すなわち表示されたメニュー上の「ＣＤ」アイテムに対応する黄色の長方形のボタンを押したとすると、メニュー生成プロセッサはコンパクトディスクプレーヤを作動させ、図４に示すように「ＣＤメニュー」を生成してテレビ（ＴＶ）ディスプレイ上に表示する。このメニューは８つの選択肢を有している。すなわち、１）ユーザがオーディオビジュアルメニューに戻ることを可能にするＡＶとコンパクトディスクプレーヤ用の７つのコントロール「ボタン」、すなわち２）停止、３）一時停止、４）戻し、５）送り、６）再生、７）先送り、および８）その他、ならびに９）オフである。ユーザは、仮にＣＤプレーヤが別の部屋にあったとしても、表示されたメニューを用いて容易にＣＤプレーヤをコントロールすることができる。「再生」コマンドは、ユーザの部屋中のレシーバをオンにし、「ＣＤ」モードを選択してＣＤの再生を開始することを含むマクロコマンドであってもよい点に注意されたい。ＣＤの音楽を聴いている間はユーザはメニューを必要としないため、ユーザはリモートコントローラ１０上のメニューボタンを押すことによってメニューをシャットオフすることができる。」（段落【００１９】）
「図２〜図４においてはメニュー上の各利用可能オプションは文字を使って表されているが、別の実施態様において、利用可能な選択されるべき機能をグラフィックスを用いて示してもよい点に注意されたい。図５および図６に、文字よりもグラフィクスを用いて利用可能な機能／オプションを示したメインメニューおよびＶＣＲメニュー用のディスプレイ例を示す。これらの別実施態様において、表示されたメニューは４×４のアレイを有している。更に、図６において、利用可能オプションに関連付けられた属性は、直接前景や背景中に構成されるのではなく、グラフィクス表示されたオプションの近傍に位置している。例えば、第１行第２列の黄色の長方形は、オプションの左上に位置している。」（段落【００２０】）
と記載されており、これらの記載によれば、
　
　引用刊行物１には、
「リモートコントローラを用いたコントロールシステムにおいて、ディスプレイ機能、リモートコントロール機能、メニュー生成機能を含み、リモートコントローラのリモートコントロールキーパッド１０は、様々な属性のボタンアレイ１４を有し、前記ボタンアレイ１４は、３×３のモティーフに配置されており、各列は同じ色（黄、緑、および青）を有し、各行は同じ形状（長方形、円形、および菱形）を有しており、ＴＶディスプレイ上にメインメニューを表示させ、前記ＴＶディスプレイ上に表示されたメインメニューは、前記ボタンアレイ１４に基づき、３×３のアレイを表示し、９つの選択オプション、すなわち、１）オーディオ／ビジュアル（ＡＶ）、２）セキュリティ、３）ヒーティング／換気／空調（ＨＶＡＣ）、４）照明、５）設備、６）通信、７）料理、８）ハウスキーピング、および９）システムであり、前記ＴＶディスプレイ上に表示されたメニュー上の各オプションには、ボタンアレイ１４上の属性（色、形）と実質的に合致するようにデザインされた属性（色、形）が関連付けられており、ユーザが第１行第１列のボタン（すなわち表示された「ＡＶ」アイテムと同じ属性を有する、黄色の長方形）を押した場合、メニュー生成プロセッサは「ＡＶメニュー」を生成し、これを「メインメニュー」の代わりに前記ＴＶディスプレイに表示し、前記ＴＶディスプレイ上に表示される各メニューは、リモートコントローラ上に有されるボタンアレイ１４上の属性（色、形）と実質的に同じ配置を表現しており、前記「ＡＶメニュー」は８つのアイテム、１）メイン、２）ＶＣＲ−１、３）ＶＣＲ−２、４）ＬＤ、５）ＣＤ、６）ＤＣＣ、７）レシーバ、および８）システムを有しており、ユーザが第２行第２列、表示されたメニュー上の「ＣＤ」アイテムに対応する黄色の長方形のボタンを押したとすると、メニュー生成プロセッサはコンパクトディスクプレーヤを作動させ、リモートコントローラ上に有されるボタンアレイ１４上の属性（色、形）と実質的に同じ配置の「ＣＤメニュー」を生成してＴＶディスプレイ上に表示し、前記「ＣＤメニュー」は、１）ユーザがオーディオビジュアルメニューに戻ることを可能にするＡＶとコンパクトディスクプレーヤ用の７つのコントロール「ボタン」、すなわち２）停止、３）一時停止、４）戻し、５）送り、６）再生、７）先送り、および８）その他、ならびに９）オフであり、ユーザは、表示された前記「ＣＤメニュー」を用いて容易にＣＤプレーヤをコントロールすることができるリモートコントローラを用いたコントロールシステム。」（以下「引用刊行物１発明」という。）が開示されていると認めることができる。
　
　
　（２）対比
　
　そこで、本願発明と引用刊行物１発明とを比較すると、引用刊行物１発明の「リモートコントローラ」は、本願発明の「リモコン」に相当し、以下同様に、「ボタンアレイ」は「キー」に、「メインメニュー」は「第１の選択指示内容」に、「ＡＶメニュー」は「第２の選択指示内容」に、「ＣＤメニュー」は「第３の選択指示内容」にそれぞれ相当する。
　そして、引用刊行物１発明の「コントロールシステム」はディスプレイ機能、リモートコントロール機能、メニュー生成機能を含むのであり、リモートコントローラの操作に従い動作するものであるから、本願発明の「インターフェイス装置」に相当する。
　また、引用刊行物１発明では、「前記ＴＶディスプレイ上に表示されたメニュー上の各オプションには、ボタンアレイ１４上の属性（色、形）と実質的に合致するようにデザインされた属性（色、形）が関連付けられ」ていることから、本願発明の「キーと同形状のキーイメージを表示させる機能」に相当する機能を有している。
　さらに、引用刊行物１発明では、「ユーザが第１行第１列のボタン（すなわち表示された「ＡＶ」アイテムと同じ属性を有する、黄色の長方形）を押した場合、メニュー生成プロセッサは「ＡＶメニュー」を生成し、これを「メインメニュー」の代わりに前記ＴＶディスプレイに表示し、前記ＴＶディスプレイ上に表示される各メニューは、リモートコントローラ上に有されるボタンアレイ１４上の属性（色、形）と実質的に同じ配置を表現して」いることから、本願発明の「キーの操作によって前記第１の選択指示内容の何れかが選択されると、選択された第１の選択指示内容に従い」「さらに、前記第１の選択指示内容の何れかが選択されると、選択された前記第１の選択指示内容に関連する様々な第２の選択指示内容を持った前記キーと同形状の第１の階層のキーイメージを表示させる機能」に相当する機能を有している。
　そして、引用刊行物１発明では、「ユーザが第２行第２列、表示されたメニュー上の「ＣＤ」アイテムに対応する黄色の長方形のボタンを押したとすると、メニュー生成プロセッサはコンパクトディスクプレーヤを作動させ、リモートコントローラ上に有されるボタンアレイ１４上の属性（色、形）と実質的に同じ配置の「ＣＤメニュー」を生成してＴＶディスプレイ上に表示し」ていることから、本願発明の「第２の選択指示内容の何れかが選択されると、選択された前記第２の選択指示内容に従い」「前記第２の選択指示内容の何れかが選択されると、選択された前記第２の選択指示内容に関連する様々な第３の選択指示内容を持った前記テンキーと同形状の第２の階層のキーイメージを表示させる機能」に相当する機能を有している。
　また、引用刊行物１発明では、「ユーザは、表示された前記「ＣＤメニュー」を用いて容易にＣＤプレーヤをコントロールすることができる」ことから、本願発明の「前記第３の選択指示内容の何れかが選択されると、選択された前記第３の選択指示内容に従」うに相当する機能を有している。
　
　したがって、両者は、
「リモコンのキーの操作に従うリモコンのキーのインターフェイス装置であって、
　様々な第１の選択指示内容を持った前記キーと同形状のキーイメージを表示させる機能と、
　前記キーの操作によって前記第１の選択指示内容の何れかが選択されると、選択された第１の選択指示内容に従い、
　さらに、前記第１の選択指示内容の何れかが選択されると、選択された前記第１の選択指示内容に関連する様々な第２の選択指示内容を持った前記キーと同形状の第１の階層のキーイメージを表示させる機能と、
　前記第２の選択指示内容の何れかが選択されると、選択された前記第２の選択指示内容に従い、
　前記第２の選択指示内容の何れかが選択されると、選択された前記第２の選択指示内容に関連する様々な第３の選択指示内容を持った前記キーと同形状の第２の階層のキーイメージを表示させる機能と、
　前記第３の選択指示内容の何れかが選択されると、選択された前記第３の選択指示内容に従う機能とを有する
　ことを特徴とするリモコンのキーのインターフェイス装置。」の点で一致し、以下の点で相違している。
　
［相違点１］本願発明は、キーがテンキーであるのに対し、引用刊行物１発明ではキーが３×３のキーである点。
　
［相違点２］本願発明は、リモコンのテンキーの操作により情報の検索や伝達を行う機能を有するものであるのに対し、引用刊行物１発明では、この点が明確でない点。
　
　（３）判断
　
　［相違点１］について
　入力を行うキーとして、テンキーは、特開平９−８１５１３号公報（段落【００３４】〜段落【００５０】及び第２〜４図参照。以下、「周知例１」という。）、特開平１０−１１１８５４号公報（特に、段落【００１２】参照。以下、「周知例２」という。）及び特開平１０−９８６５４号公報（段落【００２２】〜段落【００４０】参照。以下、「周知例３」という。）に示されるように、周知である。
　したがって、引用刊行物１発明に上記周知のテンキーを用いることで、相違点１に係る本願発明の構成とすることは、当業者が容易に想到し得たものというべきである。
　
　［相違点２］について
　引用刊行物１、例えば段落【００１７】には、「第１行第１列ボタンが押されると、メニュー生成プロセッサは図３に示す「ＡＶメニュー」を生成し、これを「メインメニュー」の代わりにＴＶに表示する。」と記載されており、第１行第１列ボタンが押されたという情報が伝達されたことにより「ＡＶメニュー」をＴＶに表示させることは明らかであるから、引用刊行物１発明は、リモコンのキー操作により情報の伝達を行う機能を有することは明らかである。
　また、リモコンにおいて、リモコンのキー（テンキー）操作により情報の検索や伝達を行う機能を有させることは、周知例１、周知例２及び周知例３に示されているように、周知である。
　したがって、引用刊行物１発明に上記周知の機能を有させることで、相違点２に係る本願発明の構成とすることは、当業者が容易に想到し得たものというべきである。
　
　そして、本願発明の作用効果も、引用刊行物１発明及び周知技術から当業者が予測できる範囲のものである。
　したがって、本願発明は、引用刊行物１発明及び周知技術に基づいて、当業者が容易に発明をすることができたものであるから、特許法２９条２項の規定により特許を受けることができないものである。
　
　
　（４）むすび
　以上のとおり、本願発明は、引用刊行物１発明及び周知技術に基づいて、当業者が容易に発明をすることができたものであるから、特許法第２９条２項の規定により特許を受けることができない。
　よって、結論のとおり審決する。